(57)【要約】      （修正有）【課題】出荷前の工程に一手間加えるだけでフィルムの剥離を容易にし、かつ利用者をリサイクルへ誘導することが可能な食品用トレイを提供する。【解決手段】この食品用トレイ１において食品を収納する側のほぼ全面に剥離可能なフィルムが貼付されている。食品用トレイ１の周縁部の所定部分４に位置するフィルムを当該所定部分４から剥離された状態にすると共に、剥離されたフィルムを挟持するようにして耐水性を有する二つ折りのインデックスシール４１を貼付することにより食品用トレイ１からフィルムを剥離するためのつまみ部を形成したことを特徴とする。【選択図】図３
0003217779.tif 000002
【実用新案登録請求の範囲】
【請求項１】
食品を収納する側のほぼ全面に剥離可能なフィルムが貼付されている食品用トレイにおいて、
前記食品用トレイの周縁部の所定部分に位置する前記フィルムの一部を予め剥離した状態とし、剥離された部分の前記フィルムを挟持するようにして耐水性を有するインデックスシールを二つ折りした状態で貼付することにより、前記食品用トレイから前記フィルムを剥離するためのつまみ部が形成されていることを特徴とする食品用トレイ。
【請求項２】
請求項１に記載の食品用トレイにおいて、
前記所定部分は、前記食品用トレイの周縁部の一部を外側へ突出するようにして形成されたノッチであることを特徴とする食品用トレイ。
【請求項３】
請求項１又は２に記載の食品用トレイにおいて、
二つ折りして貼付された状態の前記インデックスシールはその一部が前記所定部分より外側へ張り出している
ことを特徴とする食品用トレイ。
【請求項４】
請求項１から３のいずれか１項に記載の食品用トレイにおいて、
前記インデックスシールの輪郭の少なくとも一部が前記所定部分の輪郭に沿った形状をしている
ことを特徴とする食品用トレイ。
【請求項５】
請求項１から４のいずれか１項に記載の食品用トレイにおいて、
前記インデックスシールの一方側端には円弧状に張り出した凸状部が形成されると共に、反対側端には円弧状に凹んだ凹状部が形成され、
前記所定部分から剥離された前記フィルムの裏面側に前記凸状部が位置し、表面側に前記凹状部が位置するようにして前記インデックスシールが前記フィルムに貼付されている
ことを特徴とする食品用トレイ。
【請求項６】
請求項１から５のいずれか１項に記載の食品用トレイにおいて、
前記インデックスシールのうち前記フィルムの表面側に貼付される部分と前記フィルムの裏面側に貼付される部分との境界には、当該インデックスシールを二つ折りにするための折れ線が設けられている、
ことを特徴とする食品用トレイ。
【請求項７】
請求項１から６のいずれか１項に記載の食品用トレイにおいて、
前記インデックスシールのうち前記フィルムの表面側に貼付される部分には、注意喚起用のマーク及び彩色若しくはその一方が施されており、
前記インデックスシールのうち前記フィルムの裏面側に貼付される部分には、前記食品用トレイから前記フィルムが剥離可能である旨の文字情報が印字されている
ことを特徴とする食品用トレイ。
【考案の詳細な説明】
【技術分野】
【０００１】
本考案は、リサイクル資源として利用可能な食品用トレイに係り、特に、トレイ本体の食品の収納面側にフィルムを貼着しておき、使用後にフィルムを剥がすことで綺麗な状態で容器の回収を行うことができる食品用トレイに関する。
【背景技術】
【０００２】
わが国で日々排出される一般廃棄物の中でも紙製やプラスチック製の容器包装が占める割合は膨大であり、資源の有効利用及び自然環境の保全の観点から、利用者が廃棄物を分別排出し、これを地方自治体が分別収集し、再生事業者が再商品化するというリサイクルシステムが効率良く機能することが望まれている。
【０００３】
紙製やプラスチック製の容器包装の一つとして、例えば、弁当等に用いられた使用済みのプラスチック製の食品用トレイを回収する場合、利用者は、ごはんやおかず等の食品で汚れた内面を洗浄してからリサイクルに出す必要がある。利用者がこの作業を面倒に感じたり、近くに洗える環境が無い場合、一般ゴミとして廃棄処理されたりすることが多くなり、これらがリサイクルに回されないことで回収効率が低下する。
【０００４】
そのため、合成樹脂製の食品用トレイについて、トレイ本体の内面にコーティングシートを剥離可能に貼着し、コーティングシートをトレイ本体から分離できるようにした食品用トレイが提案されている（例えば、特許文献１参照）。この構成により、トレイ本体に食品の汚れが直接付着しないため、シートを剥がすだけでトレイ本体を綺麗な状態でリサイクルすることが可能になる。また、トレイ本体の周縁（以下、「上部フランジ」という場合もある。）の角部に折り割り可能な切り込みを設けておき、これを折り割ってできる折り割り片をツマミとすることでプラスチックフィルムを容易に剥がせるようにした食品用トレイも提案されている（例えば、特許文献１参照）。
【先行技術文献】
【特許文献】
【０００５】
【特許文献１】実用新案登録第３１２６６５８号公報
【特許文献２】特開２０００−３４４２２４号公報
【考案の概要】
【考案が解決しようとする課題】
【０００６】
しかしながら、従来の食品用トレイにおいては、折り割る際の衝撃でフィルムが破れたり、フィルムから折り割片が外れたりする問題が生じ得ることが判明した。利用者の安全やリサイクルへの誘導（ナッジ効果）を目的として食品用トレイの製造者の側で出荷前に予め折り割る工程を実施することも可能だが、折り割る際の衝撃で必要以上にフィルムが剥離されてしまうことがあり、そのような食品用トレイは出荷できないので食品用トレイの製造者の側の損失となっていた。
【０００７】
そこで、本考案の目的は、フィルムの剥離を容易にし、かつ利用者をリサイクルへ誘導することが可能な食品用トレイを提供することにある。
【課題を解決するための手段】
【０００８】
上記目的を達成するため、請求項１に記載の本考案は、食品を収納する側のほぼ全面に剥離可能なフィルムが貼付されている食品用トレイにおいて、前記食品用トレイの周縁部の所定部分に位置する前記フィルムの一部を予め剥離した状態とし、剥離された部分の前記フィルムを挟持するようにして耐水性を有するインデックスシールを二つ折りした状態で貼付することにより、前記食品用トレイから前記フィルムを剥離するためのつまみ部が形成されていることを特徴とする。
【０００９】
上記目的を達成するため、請求項２に記載の本考案は、請求項１に記載の食品用トレイにおいて、前記所定部分は、前記食品用トレイの周縁部の一部を外側へ突出するようにして形成されたノッチであることを特徴とする。
【００１０】
上記目的を達成するため、請求項３に記載の本考案は、請求項１又は２に記載の食品用トレイにおいて、二つ折りして貼付された状態の前記インデックスシールはその一部が前記所定部分より外側へ張り出していることを特徴とする。
【００１１】
上記目的を達成するため、請求項４に記載の本考案は、請求項１から３のいずれか１項に記載の食品用トレイにおいて、前記インデックスシールの輪郭の少なくとも一部が前記所定部分の輪郭に沿った形状をしていることを特徴とする。
【００１２】
上記目的を達成するため、請求項５に記載の本考案は、請求項１から４のいずれか１項に記載の食品用トレイにおいて、前記インデックスシールの一方側端には円弧状に張り出した凸状部が形成されると共に、反対側端には円弧状に凹んだ凹状部が形成され、前記所定部分から剥離された前記フィルムの裏面側に前記凸状部が位置し、表面側に前記凹状部が位置するようにして前記インデックスシールが前記フィルムに貼付されていることを特徴とする。
【００１３】
上記目的を達成するため、請求項６に記載の本考案は、請求項１から５のいずれか１項に記載の食品用トレイにおいて、前記インデックスシールのうち前記フィルムの表面側に貼付される部分と前記フィルムの裏面側に貼付される部分との境界には、当該インデックスシールを二つ折りにするための折れ線が設けられていることを特徴とする。
【００１４】
上記目的を達成するため、請求項７に記載の本考案は、請求項１から６のいずれか１項に記載の食品用トレイにおいて、前記インデックスシールのうち前記フィルムの表面側に貼付される部分には、注意喚起用のマーク及び彩色若しくはその一方が施されており、前記インデックスシールのうち前記フィルムの裏面側に貼付される部分には、前記食品用トレイから前記フィルムが剥離可能である旨の文字情報が印字されていることを特徴とする。
【考案の効果】
【００１５】
本考案に係る食品用トレイによれば、周縁部の所定部分に位置するフィルムに対してインデックスシールを二つ折りするようにして挟持し、そのインデックスシールをつまみ部とするので、予め剥離を開始する部分が設けられているのでフィルムの剥離が容易であるという効果がある。しかもインデックスシールは耐水性を有しているので、食品を収容した食品用トレイを電子レンジで温めたとしても溶けたり切れたりしないという効果もある。また、二つ折りのインデックスシールは周縁部の形状に沿った形状とされているので、多数の食品用トレイを積み重ねる際の妨げとならないという効果もある。また、二つ折りのインデックスシールはプラスチック合成紙等で形成することにより一定の強度を付与することで周縁部の表面と接した状態と起立した状態との間で容易に姿勢を変える（可動する）ことができるのでフィルムが剥離可能であることを示すと共に、インデックスシールがつまみ部としての機能することを利用者へ示唆できるという効果もある。よって、本考案によれば、食品用トレイからフィルムを剥離するよう（さりげなく）利用者を誘導することができる。そしてフィルムの剥離された綺麗な状態で食品用トレイの本体の回収を行うことによりリサイクルを容易にし、資源の有効活用と自然環境の保全を図ることが可能となる。
【図面の簡単な説明】
【００１６】
【図１】図１（Ａ）は、インデックスシールの貼付前における食品用トレイの平面図、図１（Ｂ）は、図１（Ａ）のＡ−Ａ線における断面図である。
【図２】つまみ部を構成するインデックスシールの平面図である。
【図３】インデックスシールの貼付後における食品用トレイの平面図である。
【図４】インデックスシールを貼付する手順を説明する断面図である。
【図５】図５（Ａ）は、インデックスシールがノッチに接した状態を示す断面図、図５（Ｂ）は、インデックスシールが起立した状態を示す断面図、図５（Ｃ）は、フィルムが剥離される様子を示す断面図である。
【図６】図６は、食品用トレイを積み重ねたときのインデックスシールを説明する部分斜視図である。
【図７】図７は、食品用トレイの本体の構造を示す断面図である。
【図８】図８は、インデックスシールの変形例を示す図である。
【考案を実施するための形態】
【００１７】
以下、本考案に係る食品用トレイについて、好ましい一実施形態に基づいて詳細に説明する。ここでは食品用トレイとして弁当容器を想定するが、肉、野菜、果物、魚などの食材を収容する食材トレイ、総菜を収容する惣菜トレイなどにも本考案は適用可能である。
【００１８】
［食品用トレイの基本構成］
先ず、食品用トレイの基本構成について説明する。図１（Ａ）は、インデックスシールの貼付前における食品用トレイの平面図、図１（Ｂ）は、図１（Ａ）のＡ−Ａ線における断面図である。図示されるとおり、食品用トレイ１は、リサイクルが可能で耐油性、耐熱性及び保温性を備え、更に電子レンジでの使用が可能なプラスチック材料を、内側に仕切り１１が立設された形状に樹脂成型（例えば、真空成型）したものである。仕切り１１には、ごはん及び各種のおかずが相互に混ざらないように区分けするという機能がある。また、食品用トレイ１の周縁側には図１（Ｂ）に示されるとおりＵ字形状断面の曲げ部（土手状部）１２が施されており、その曲げ部１２の外側は庇状の周縁部となっている。また、図１（Ｂ）に示されるとおり食品用トレイ１の食品を収納する側には、周縁部に至るほぼ全面にわたって薄いフィルム３が剥離可能なように貼付されている。フィルム３には、例えば、ＰＳ（PolyStyrene：ポリスチレン）が用いられ、例えば、厚みが０．０２５ｍｍで、熱蒸着、熱融着等によってトレイ１の内面に貼付されている。また、食品用トレイ１の周縁部（曲げ部１２より外側）の少なくとも一箇所には外側へ突出するようにしてノッチ４（所定部分の一例）が設けられている。
【００１９】
［インデックスシール］
次に、インデックスシールについて説明する。図２は、つまみ部を構成するインデックスシールの平面図、図３は、インデックスシールの貼付後における食品用トレイの平面図、図４は、インデックスシールを貼付する手順を説明する断面図である。本実施形態では、インデックスシール４１の貼付先が図３に示すとおりノッチ４である場合を想定する。但し、インデックスシール４１の貼付先は、食品用トレイ１の周縁部であればノッチ４以外の箇所であってもよいし、ノッチ４を有しない食品用トレイにも本考案は適用可能である。
【００２０】
インデックスシール４１は耐水性、耐熱性を有した合成樹脂製の紙（プラスチック合成紙）などによって形成され、裏面には接着剤が塗布されて粘着面となっており、台紙４２に整列した状態で配置されている。そして、図２に示されるとおり、本実施形態のインデックスシール４１の一方側端の部分４１ａには円弧状に凹んだ凹状部が形成されると共に、反対側端の部分４１ｂには円弧状に張り出した凸状部が形成されている。そして、一方側端の部分４１ａ（凹状部）がフィルム３の表面側に位置し、反対側端の部分４１ｂ（凸状部）がフィルム３の裏面に位置するようにして貼付されている。インデックスシール４１の長手方向の長さＬ１及び短手方向の長さＬ２の組み合わせは、例えば１６ｍｍ及び１０ｍｍであって、ヒトの手の爪先と同程度とされている。
【００２１】
ここで、インデックスシール４１は以下のようにして食品トレイに貼付される。先ず、食品用トレイ１のノッチ４部分のフィルム３の表面にインデックスシール４１の一方側端の部分４１ａを貼付する（図４（Ａ））。このときインデックスシール４１の反対側端の部分４１ｂは、ノッチ４より外側へはみ出した状態である。
【００２２】
次に、貼付されたインデックスシール４１を持ち上げることにより、ノッチ４の部分に位置するフィルム３を当該ノッチ４から剥離された状態にする（図４（Ｂ））。なお、ここではインデックスシール４１の一方側端の部分４１ａをフィルム３の表面へ貼付した後にフィルム３をノッチ４から剥離したが、ノッチ４からフィルム３を剥離した後にインデックスシール４１の一方側端の部分４１ａをフィルム３の表面へ貼付してもよい。
【００２３】
次に、剥離されたフィルム３を外側から挟持するようにしてインデックスシール４１の反対側端の部分４１ｂをフィルム３の裏面側へ巻き込むようにして二つ折りにして貼付する（図４（Ｃ））。これによって二つ折りのインデックスシール４１がフィルム３を挟持するようにして取り付けられる。二つ折りの状態ではインデックスシール４１の粘着面は露出しないのでベタつくことはない。このようにして二つ折りされたインデックスシール４１は、食品用トレイ１からフィルム３を剥離するためのつまみ部として利用される。
【００２４】
［フィルムの剥離方法］
次に、フィルム３の剥離方法について説明する。図５（Ａ）は、インデックスシール４１がノッチ４に接した状態を示す断面図、図５（Ｂ）は、インデックスシール４１が起立した状態を示す断面図、図５（Ｃ）は、フィルムが剥離される様子を示す断面図である。
【００２５】
食品用トレイ１の利用者は、食事後にインデックスシール４１（図５（Ａ））を指先で軽く押し上げてノッチ４の上で起立させてから（図５（Ｂ））、そのインデックスシール４１を人差し指と親指とでつまんで引っ張ることにより（図５（Ｃ））、食品用トレイ１の本体からフィルム３の全体を剥離する。
【００２６】
上述したとおりインデックスシール４１は二つ折りの状態でフィルム３の一端の表面及び裏面を挟持しており、二つ折りのインデックスシール４１を外側から利用者が親指と人差し指とで抑える。しかも、インデックスシール４１の粘着力は、シール面に沿った方向の力に抗することが可能である。よって、利用者がインデックスシール４１をつまんで軽く引っ張るだけで、食品用トレイ１の全体からフィルム３が一気に剥離される。
【００２７】
［インデックスシールの材質］
本実施形態のインデックスシール４１は上述したとおりプラスチック合成紙等によって形成されているため耐水性及び耐熱製を有しているので、食品を収容した食品用トレイ１を電子レンジで温めたとしても溶けたり切れたりすることはない。したがって、食品用トレイ１に収容された食品の安全性は確保される。
【００２８】
［インデックスシールの厚み］
また、本実施形態のつまみ部として使用されるのは、二つ折りのインデックスシール４１なので基本的にノッチ４の上にフィットし（図５（Ａ））、多数の食品用トレイ１を積み重ねる際の妨げとはならない（図６を参照）。
【００２９】
［インデックスシールの動き］
また、本実施形態では、二つ折りのインデックスシール４１はプラスチック合成紙等によって形成されているため一定の強度を有しており、しかも一方側端の部分４１ａが凹状部とされ、反対側端の部分４１ｂが凸状部とされているのでノッチ４に接した状態（図４（Ａ））と起立した状態（図５（Ｂ））との間で容易に姿勢を変えることができる（可動する）ので、二つ折りのインデックスシール４１がつまみ部としての機能を有していること、つまりフィルム３が剥離可能であることを、利用者へ示唆することができる。よって、本実施形態によれば、食品用トレイ１からフィルム３を剥離するよう（さりげなく）利用者を誘導することができる。
【００３０】
特に、本実施形態では、二つ折りのインデックスシール４１の一部がノッチ４より外側へ張り出しているので（図３）、インデックスシール４１の張り出した部分を指先で下から軽く押し上げるだけ（軽く触れるだけ）で利用者が簡単にインデックスシール４１を起立させることができる（図５（Ａ）の状態から図５（Ｂ）の状態となる）。
【００３１】
［インデックスシールの輪郭］
また、本実施形態では、二つ折りのインデックスシール４１の輪郭の少なくとも一部はノッチ３の輪郭に沿った形状をしている。例えば、インデックスシール４１のうち、フィルム３の表面側に位置する部分は、ノッチ３の輪郭（曲げ部１２の側）に沿って湾曲している（図２の凹状部４１ａを参照）。インデックスシール４１が台紙４２から外される前の状態では、図２に示すとおりインデックスシール４１の一方側端には円弧状に張り出した凸状部４１ｂが形成されると共に、反対側端には円弧状に凹んだ凹状部４１ａが形成されており、インデックスシール４１がフィルム３に貼付された状態では、ノッチ４から剥離されたフィルム３の裏面側に凸状部４１ｂが位置し、表面側に凹状部４１ａが位置する。インデックスシール４１の輪郭にこのような形状を採用すれば、ノッチ４の上でインデックスシール４１を起立させること（図５（Ｂ））を可能としながらも食品用トレイ１のノッチ４の厚みが不必要に厚くなることを防止している。
【００３２】
［インデックスシールの折り曲げ］
また、本実施形態では、インデックスシール４１のうちフィルム３の表面側に貼付される部分（凹状部４１ａ）とフィルム３の裏面側に貼付される部分（凸状部４１ｂ）との境界には、図２に示すとおり当該インデックスシール４１を二つ折りにするための折れ線（ミシン目）Ｃが設けられている。よって、インデックスシール４１をフィルム３へ貼付する際に、インデックスシール４１の折り曲げ位置を作業者が容易に決めることができるので、作業の効率化や二つ折り精度の向上を図ることができる。
【００３３】
なお、本実施形態では、インデックスシール４１の境界（折り曲げ位置）に折れ線Ｃを設ける代わりに、又は折り線Ｃを設けることに加えて、インデックスシール４１の境界（折り曲げ位置）の両端に切り欠きを設けておいてもよい（後述する図８の符号Ｄを参照）。
【００３４】
［インデックスシールの模様等］
また、本実施形態の食品用トレイ１において、インデックスシール４１のうちフィルム３の表面側に貼付される部分（凹状部４１ａ）には、図２に示すとおり注意喚起用のマーク及び彩色若しくはその一方が施されており、インデックスシール４１のうちフィルム３の裏面側に貼付される部分（凸状部４１ｂ）には、食品用トレイ１からフィルム３が剥離可能である旨の文字情報が印字されている。図２の例では、凹状部４１ａには注意喚起用のマークとしてリサイクルマーク（アルファベットＰ＆Ｐ、円弧矢印、動物キャラクタの絵を組み合わせたもの）が施されており、凸状部４１ｂには文字情報として「はがしてリサイクル」という文字イメージが目視可能なサイズで印字されている。また、図２には現れていないが、凹状部４１ａの背景は赤色に彩色されており、凸状部４１ｂの背景は白色である。このようにすれば、インデックスシール４１のうちフィルム３の表面に位置する部分（凹状部４１ａ）と裏面に位置する部分（凸状部４１ｂ）との色の差異（コントラスト）が高まるので、利用者に対する注意喚起の効果は高いと考えられる。なお、インデックスシールの模様等はこれらに限定されるものではない。
【００３５】
［食品用トレイの本体の構造］
なお、食品用トレイ１の本体の断面形状は図７に示す如くであり、概略として、食品用トレイ１の本体の下側（外面側）がバージンのＰＰ（PolyPropylene：ポリプロピレン）によって形成された第一層１３であり、その次に食品用トレイ１の本体をリサイクルしたＰＰとＰＳとの混合原料を用いて形成された第二層１４が積層され、さらに、その次に第一層と同様にバージンのＰＰによってして形成された第三層１５の三層構造とされている。このように、それぞれバージンの原料を使用した第一層１３と第三層１５との中間に配置された第二層１４には、リサイクル原料が使用されている。ここで、食品用トレイ１の本体の第二層１４を構成するリサイクル原料の使用割合は、食品用トレイ１の本体を構成する第一層１３、第二層１４及び第三層１５の全重量に対して約４０〜７０％程度とされている。
【００３６】
［食品用トレイのリサイクル方法］
また、フィルム３を引き剥がすことによって綺麗な状態とされた食品用トレイ１の本体は、例えば、販売店やコンビニエンスストア等に用意されている回収ボックスにて回収し、リサイクル業者等によってリサイクルされる。そして、リサイクルされた原料は再び食品用トレイ１を形成する第二の混合層１４として再利用される。
【００３７】
［インデックスシールの変形例］
なお、インデックスシール４１は、上述したものに限定されることはなく、例えば図８に示すようなインデックスシール１４１を用いることもできる。このインデックスシール１４１は、フィルム３の表面側に位置する部分１４１ａに「はがしてリサイクル」という文字イメージが白色の背景に赤色で印字されており、フィルム３の裏面側に位置する部分１４１ｂはその全面が赤色の領域となっている。また、当該部分１４１ａ、１４ｂの端部ｅ１、ｅ２は平坦になっているので、ノッチ４の輪郭が平坦である場合や、食品用トレイ１の周縁部のうち四隅以外の直線的な部分へインデックスシール４１を貼付する場合などに特に適している（但し、インデックスシール４の貼付先はこれに限定されることはない。）。また、インデックスシール１４１の折り曲げ位置（当該部分１４１ａ、１４１ｂの境界）には折れ線Ｃが設けられており、また、当該境界（当該部分１４１ａ、１４１ｂの境界）の両端には切り欠き部Ｄが設けられている。なお、インデックスシールの文字等はこれらに限定されるものではない。
【００３８】
［実施形態の補足］
以上のように、好ましい実施形態について説明したが、本考案に係る食品用トレイは、容器を汚し易い食品を収納するリサイクル可能な食品容器の全般、更には、食品以外を収納するリサイクル可能な収納容器の全般に採用可能である。また、トレイ（容器）の形状についても、図示した形状に限定されることはなく、概略四角形、概略円形、概略楕円形など様々な形状にすることが可能である。また、インデックスシールの貼付先（つまみ部の形成先）についても、トレイ（容器）の周縁部の何れかであればよく、ノッチに限定されることもない。
【符号の説明】
【００３９】
１      食品用トレイ
３      フィルム
４      ノッチ
４１      インデックスシール
１１      仕切り
１２      曲げ部
１３      第一層
１４      第二層
１５      第三層
４１      インデックスシール
４１ａ    凹状部
４１ｂ    凸状部
４２    台紙
Ｃ      折れ線
１４１    インデックスシール
【図１】
0003217779.tif 000003
【図２】
0003217779.tif 000004
【図３】
0003217779.tif 000005
【図４】
0003217779.tif 000006
【図５】
0003217779.tif 000007
【図６】
0003217779.tif 000008
【図７】
0003217779.tif 000009
【図８】
0003217779.tif 000010